(57)【要約】【課題】ＵＥ＃１の第１通信状態から第２通信状態への切り替えの後に、第２通信状態のＵＥ＃１の音声通信が終了した後、第１通信状態のＵＥ＃１の音声通信用ベアラを切断する。【解決手段】本発明に係る移動通信方法は、ＭＳＣサーバ/ＭＧＷが、第２通信状態のＵＥ＃１による音声通信が終了することを検出した場合、ＭＭＥに対して、Ｓ-ＧＷとＰ-ＧＷとの間で確立されている第１通信状態のＵＥ＃１のＶｏＩＰ通信用ベアラを切断するように指示する工程を有する。【選択図】図２
2011223280.tif 000002
【特許請求の範囲】
【請求項１】
回線交換通信をサポートしていない第１通信方式の無線アクセスシステムと、該第１通信方式の無線アクセスシステムを収容する移動伝達ネットワークと、回線交換通信をサポートしている第２通信方式の無線アクセスシステムと、該第２通信方式の無線アクセスシステムを収容する第２通信方式のコアネットワークとを具備する移動通信システムにおいて、移動局を、該第１通信方式の無線アクセスシステムを介して音声通信を行う第１通信状態から、該第２通信方式の無線アクセスシステムを介して音声通信を行う第２通信状態に切り替える移動通信方法であって、
前記コアネットワーク内の所定サーバが、前記第２通信状態の前記移動局による音声通信が終了することを検出した場合、前記移動伝達ネットワーク内の移動管理ノードに対して、該移動伝達ネットワーク内の第１ゲートウェイ装置とパケットデータネットワークに接続されている第２ゲートウェイ装置との間で確立されている前記第１通信状態の該移動局の音声通信用ベアラを切断するように指示する工程を有することを特徴とする移動通信方法。
【請求項２】
回線交換通信をサポートしていない第１通信方式の無線アクセスシステムと、該第１通信方式の無線アクセスシステムを収容する移動伝達ネットワークと、回線交換通信をサポートしている第２通信方式の無線アクセスシステムと、該第２通信方式の無線アクセスシステムを収容する第２通信方式のコアネットワークとを具備する移動通信システムにおいて、移動局を、該第１通信方式の無線アクセスシステムを介して音声通信を行う第１通信状態から、該第２通信方式の無線アクセスシステムを介して音声通信を行う第２通信状態に切り替える移動通信方法であって、
前記コアネットワーク内の所定サーバが、前記第２通信状態の前記移動局による音声通信が終了することを検出した場合、該コアネットワーク内のパケット交換機に対して、前記移動伝達ネットワーク内の第１ゲートウェイ装置とパケットデータネットワークに接続されている第２ゲートウェイ装置との間で確立されている前記第１通信状態の該移動局の音声通信用ベアラを切断するように指示する工程を有することを特徴とする移動通信方法。
【請求項３】
前記移動局を前記第１通信状態から前記第２通信状態に切り替える際に、前記移動伝達ネットワーク内の移動管理ノードが、前記所定サーバに対して、前記パケット交換機のアドレス情報を通知する工程を有することを特徴とする請求項２に記載の移動通信方法。
【請求項４】
回線交換通信をサポートしていない第１通信方式の無線アクセスシステムと、該第１通信方式の無線アクセスシステムを収容する移動伝達ネットワークと、回線交換通信をサポートしている第２通信方式の無線アクセスシステムと、該第２通信方式の無線アクセスシステムを収容する第２通信方式のコアネットワークとを具備する移動通信システムであって、
移動局を、前記第１通信方式の無線アクセスシステムを介して音声通信を行う第１通信状態から、前記第２通信方式の無線アクセスシステムを介して音声通信を行う第２通信状態に切り替えるように構成されており、
前記コアネットワーク内の所定サーバは、前記第２通信状態の前記移動局による音声通信が終了することを検出した場合、前記移動伝達ネットワーク内の移動管理ノードに対して、該移動伝達ネットワーク内の第１ゲートウェイ装置とパケットデータネットワークに接続されている第２ゲートウェイ装置との間で確立されている前記第１通信状態の該移動局の音声通信用ベアラを切断するように指示するように構成されていることを特徴とする移動通信システム。
【請求項５】
回線交換通信をサポートしていない第１通信方式の無線アクセスシステムと、該第１通信方式の無線アクセスシステムを収容する移動伝達ネットワークと、回線交換通信をサポートしている第２通信方式の無線アクセスシステムと、該第２通信方式の無線アクセスシステムを収容する第２通信方式のコアネットワークとを具備する移動通信システムであって、
移動局を、前記第１通信方式の無線アクセスシステムを介して音声通信を行う第１通信状態から、前記第２通信方式の無線アクセスシステムを介して音声通信を行う第２通信状態に切り替えるように構成されており、
前記コアネットワーク内の所定サーバは、前記第２通信状態の前記移動局による音声通信が終了することを検出した場合、該コアネットワーク内のパケット交換機に対して、前記移動伝達ネットワーク内の第１ゲートウェイ装置とパケットデータネットワークに接続されている第２ゲートウェイ装置との間で確立されている前記第１通信状態の該移動局の音声通信用ベアラを切断するように指示するように構成されていることを特徴とする移動通信システム。
【請求項６】
前記移動局を前記第１通信状態から前記第２通信状態に切り替える際に、前記移動伝達ネットワーク内の移動管理ノードは、前記所定サーバに対して、前記パケット交換機のアドレス情報を通知するように構成されていることを特徴とする請求項５に記載の移動通信システム。
【請求項７】
回線交換通信をサポートしていない第１通信方式の無線アクセスシステムと、該第１通信方式の無線アクセスシステムを収容する移動伝達ネットワークと、回線交換通信をサポートしている第２通信方式の無線アクセスシステムと、該第２通信方式の無線アクセスシステムを収容する第２通信方式のコアネットワークとを具備し、移動局を、該第１通信方式の無線アクセスシステムを介して音声通信を行う第１通信状態から、該第２通信方式の無線アクセスシステムを介して音声通信を行う第２通信状態に切り替えるように構成されている移動通信システムにおいて、該コアネットワーク内の所定サーバとして機能するサーバであって、
前記第２通信状態の前記移動局による音声通信が終了することを検出した場合、前記移動伝達ネットワーク内の移動管理ノードに対して、該移動伝達ネットワーク内の第１ゲートウェイ装置とパケットデータネットワークに接続されている第２ゲートウェイ装置との間で確立されている前記第１通信状態の該移動局の音声通信用ベアラを切断するように指示するように構成されていることを特徴とするサーバ。
【請求項８】
回線交換通信をサポートしていない第１通信方式の無線アクセスシステムと、該第１通信方式の無線アクセスシステムを収容する移動伝達ネットワークと、回線交換通信をサポートしている第２通信方式の無線アクセスシステムと、該第２通信方式の無線アクセスシステムを収容する第２通信方式のコアネットワークとを具備し、移動局を、該第１通信方式の無線アクセスシステムを介して音声通信を行う第１通信状態から、該第２通信方式の無線アクセスシステムを介して音声通信を行う第２通信状態に切り替えるように構成されている移動通信システムにおいて、該コアネットワーク内の所定サーバとして機能するサーバであって、
前記第２通信状態の前記移動局による音声通信が終了することを検出した場合、該コアネットワーク内のパケット交換機に対して、前記移動伝達ネットワーク内の第１ゲートウェイ装置とパケットデータネットワークに接続されている第２ゲートウェイ装置との間で確立されている前記第１通信状態の該移動局の音声通信用ベアラを切断するように指示するように構成されていることを特徴とするサーバ。
【請求項９】
回線交換通信をサポートしていない第１通信方式の無線アクセスシステムと、該第１通信方式の無線アクセスシステムを収容する移動伝達ネットワークと、回線交換通信をサポートしている第２通信方式の無線アクセスシステムと、該第２通信方式の無線アクセスシステムを収容する第２通信方式のコアネットワークとを具備し、移動局を、該第１通信方式の無線アクセスシステムを介して音声通信を行う第１通信状態から、該第２通信方式の無線アクセスシステムを介して音声通信を行う第２通信状態に切り替えるように構成されている移動通信システムにおいて、該移動伝達ネットワーク内に設けられている移動管理ノードであって、
前記第２通信状態の前記移動局による音声通信が終了することを検出した前記コアネットワーク内の所定サーバから切断指示信号を受信した場合、前記移動伝達ネットワーク内の第１ゲートウェイ装置とパケットデータネットワークに接続されている第２ゲートウェイ装置との間で確立されている前記第１通信状態の該移動局の音声通信用ベアラを切断する処理を開始するように構成されていることを特徴とする移動管理ノード。
【請求項１０】
回線交換通信をサポートしていない第１通信方式の無線アクセスシステムと、該第１通信方式の無線アクセスシステムを収容する移動伝達ネットワークと、回線交換通信をサポートしている第２通信方式の無線アクセスシステムと、該第２通信方式の無線アクセスシステムを収容する第２通信方式のコアネットワークとを具備し、移動局を、該第１通信方式の無線アクセスシステムを介して音声通信を行う第１通信状態から、該第２通信方式の無線アクセスシステムを介して音声通信を行う第２通信状態に切り替えるように構成されている移動通信システムにおいて、該コアネットワーク内に設けられているパケット交換機であって、
前記第２通信状態の前記移動局による音声通信が終了することを検出した前記コアネットワーク内の所定サーバから切断指示信号を受信した場合、前記移動伝達ネットワーク内の第１ゲートウェイ装置とパケットデータネットワークに接続されている第２ゲートウェイ装置との間で確立されている前記第１通信状態の該移動局の音声通信用ベアラを切断する処理を開始するように構成されていることを特徴とするパケット交換機。
【発明の詳細な説明】
【技術分野】
【０００１】
本発明は、移動通信方法、移動通信システム、サーバ、移動管理ノード及びパケット交換機に関する。
【背景技術】
【０００２】
従来、２Ｇ/３Ｇ方式の無線アクセスシステム（ＵＴＲＡＮ：Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ、或いは、ＧＥＲＡＮ：ＧＳＭ  ＥＤＧＥ  Ｒａｄｉｏ  Ａｃｃｅｓｓ  Ｎｅｔｗｏｒｋ）、及び、ＬＴＥ（Ｌｏｎｇ  Ｔｅｒｍ  Ｅｖｏｌｕｔｉｏｎ）方式の無線アクセスシステム（Ｅ-ＵＴＲＡＮ：Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）を収容可能な移動通信システムが知られている。
【０００３】
かかる移動通信システムにおいて、ＵＥ（Ｕｓｅｒ  Ｅｑｕｉｐｍｅｎｔ）＃１を、ＵＥ＃２との間でＥ-ＵＴＲＡＮを介して音声通信（ＶｏＩＰ（Ｖｏｉｃｅ  ｏｖｅｒ  ＩＰ）通信）を行う状態（第１通信状態）から、ＵＥ＃２との間でＵＴＲＡＮを介して音声通信（回線交換通信）を行う状態（第２通信状態）に切り替える手順、すなわち、「ＳＲＶＣＣ（Ｓｉｎｇｌｅ  Ｒａｄｉｏ  Ｖｏｉｃｅ  Ｃａｌｌ  Ｃｏｎｔｉｎｕｉｔｙ）」について規定されている（非特許文献１参照）。
【先行技術文献】
【非特許文献】
【０００４】
【非特許文献１】３ＧＰＰ  ＴＳ２３.２１６
【発明の概要】
【発明が解決しようとする課題】
【０００５】
図５に、かかる移動通信システムにおいて、ＶｏＩＰ通信及びＰＳ（Ｐａｃｋｅｔ  Ｓｗｉｔｃｈｉｎｇ、パケット交換）通信を並行して切り替えることができない場合（すなわち、ＰＳハンドオーバをサポートしていない場合）に、ＵＥ＃１の第１通信状態から第２通信状態への切り替えを行う手順について示す。
【０００６】
かかる手順では、ステップ２２ａに示すように、ＵＥ＃１が第１通信状態から第２通信状態に切り替えられる場合であっても、ＭＭＥ（Ｍｏｂｉｌｉｔｙ  Ｍａｎａｇｅｍｅｎｔ  Ｅｎｔｉｔｙ）、Ｓ-ＧＷ（Ｓｅｒｖｉｎｇ-Ｇａｔｅｗａｙ）及びＰ-ＧＷ（ＰＤＮ-Ｇａｔｅｗａｙ）において、第１通信状態においてＳ-ＧＷとＰ-ＧＷとの間で確立されていたＵＥ＃１のＶｏＩＰ通信用ベアラに関する情報（ＶｏＩＰ通信用ベアラコンテキスト）が保持される。
【０００７】
しかしながら、かかる移動通信システムでは、図６に示すように、かかる切り替えの後に、第２通信状態のＵＥ＃１の音声通信が終了した後であっても、かかるＶｏＩＰ通信用ベアラが保持され続け、ＭＭＥ、Ｓ-ＧＷ及びＰ-ＧＷにおいて、かかるＶｏＩＰ通信用ベアラに関する情報が保持され続けてしまうという問題点があった。
【０００８】
具体的には、かかる移動通信システムでは、図６のステップＳ１に示すように、ＵＥ＃１側から音声通信を終了する場合であっても、図６のステップＳ１ａに示すように、ＵＥ＃１の通信相手であるＵＥ＃２側から音声通信を終了する場合であっても、かかるＶｏＩＰ通信用ベアラを切断する手段、すなわち、かかるＶｏＩＰ通信用ベアラに関する情報を削除する手段が設けられておらず、かかるＶｏＩＰ通信用ベアラが保持され続け、かかるＶｏＩＰ通信用ベアラに関する情報が保持され続けてしまうという問題点があった。
【０００９】
また、図７に、かかる移動通信システムにおいて、ＶｏＩＰ通信及びＰＳ通信を並行して切り替えることができる場合（すなわち、ＰＳハンドオーバをサポートしている場合）に、ＵＥ＃１の第１通信状態から第２通信状態への切り替えを行う手順について示す。
【００１０】
かかる手順でも、ステップ１８ｃに示すように、ＵＥ＃１が第１通信状態から第２通信状態に切り替えられる場合であっても、ＳＧＳＮ（Ｓｅｒｖｉｎｇ  ＧＰＲＳ  Ｓｕｐｐｏｒｔ  Ｎｏｄｅ）、Ｓ-ＧＷ及びＰ-ＧＷにおいて、第１通信状態においてＳ-ＧＷとＰ-ＧＷとの間で確立されていたＵＥ＃１のＶｏＩＰ通信用ベアラに関する情報が保持される。
【００１１】
しかしながら、かかる移動通信システムでは、図８に示すように、かかる切り替えの後に、第２通信状態のＵＥ＃１の音声通信が終了した後であっても、かかるＶｏＩＰ通信用ベアラが保持され続け、ＳＧＳＮ、Ｓ-ＧＷ及びＰ-ＧＷにおいて、かかるＶｏＩＰ通信用ベアラに関する情報が保持され続けてしまうという問題点があった。
【００１２】
具体的には、かかる移動通信システムでは、図８のステップＳ１に示すように、ＵＥ＃１側から音声通信を終了する場合であっても、図８のステップＳ１ａに示すように、ＵＥ＃１の通信相手であるＵＥ＃２側から音声通信を終了する場合であっても、かかるＶｏＩＰ通信用ベアラを切断する手段、すなわち、かかるＶｏＩＰ通信用ベアラに関する情報を削除する手段が設けられておらず、かかるＶｏＩＰ通信用ベアラが保持され続け、かかるＶｏＩＰ通信用ベアラに関する情報が保持され続けてしまうという問題点があった。
【００１３】
そこで、本発明は、上述の課題に鑑みてなされたものであり、ＵＥ＃１の第１通信状態から第２通信状態への切り替えの後に、第２通信状態のＵＥ＃１の音声通信が終了した後、第１通信状態のＵＥ＃１の音声通信用ベアラを切断することができる移動通信方法、移動通信システム、サーバ、移動管理ノード及びパケット交換機を提供することを目的とする。
【課題を解決するための手段】
【００１４】
本発明の第１の特徴は、回線交換通信をサポートしていない第１通信方式の無線アクセスシステムと、該第１通信方式の無線アクセスシステムを収容する移動伝達ネットワークと、回線交換通信をサポートしている第２通信方式の無線アクセスシステムと、該第２通信方式の無線アクセスシステムを収容する第２通信方式のコアネットワークとを具備する移動通信システムにおいて、移動局を、該第１通信方式の無線アクセスシステムを介して音声通信を行う第１通信状態から、該第２通信方式の無線アクセスシステムを介して音声通信を行う第２通信状態に切り替える移動通信方法であって、前記コアネットワーク内の所定サーバが、前記第２通信状態の前記移動局による音声通信が終了することを検出した場合、前記移動伝達ネットワーク内の移動管理ノードに対して、該移動伝達ネットワーク内の第１ゲートウェイ装置とパケットデータネットワークに接続されている第２ゲートウェイ装置との間で確立されている前記第１通信状態の該移動局の音声通信用ベアラを切断するように指示する工程を有することを要旨とする。
【００１５】
本発明の第２の特徴は、回線交換通信をサポートしていない第１通信方式の無線アクセスシステムと、該第１通信方式の無線アクセスシステムを収容する移動伝達ネットワークと、回線交換通信をサポートしている第２通信方式の無線アクセスシステムと、該第２通信方式の無線アクセスシステムを収容する第２通信方式のコアネットワークとを具備する移動通信システムにおいて、移動局を、該第１通信方式の無線アクセスシステムを介して音声通信を行う第１通信状態から、該第２通信方式の無線アクセスシステムを介して音声通信を行う第２通信状態に切り替える移動通信方法であって、前記コアネットワーク内の所定サーバが、前記第２通信状態の前記移動局による音声通信が終了することを検出した場合、該コアネットワーク内のパケット交換機に対して、前記移動伝達ネットワーク内の第１ゲートウェイ装置とパケットデータネットワークに接続されている第２ゲートウェイ装置との間で確立されている前記第１通信状態の該移動局の音声通信用ベアラを切断するように指示する工程を有することを要旨とする。
【００１６】
本発明の第３の特徴は、回線交換通信をサポートしていない第１通信方式の無線アクセスシステムと、該第１通信方式の無線アクセスシステムを収容する移動伝達ネットワークと、回線交換通信をサポートしている第２通信方式の無線アクセスシステムと、該第２通信方式の無線アクセスシステムを収容する第２通信方式のコアネットワークとを具備する移動通信システムであって、移動局を、前記第１通信方式の無線アクセスシステムを介して音声通信を行う第１通信状態から、前記第２通信方式の無線アクセスシステムを介して音声通信を行う第２通信状態に切り替えるように構成されており、前記コアネットワーク内の所定サーバは、前記第２通信状態の前記移動局による音声通信が終了することを検出した場合、前記移動伝達ネットワーク内の移動管理ノードに対して、該移動伝達ネットワーク内の第１ゲートウェイ装置とパケットデータネットワークに接続されている第２ゲートウェイ装置との間で確立されている前記第１通信状態の該移動局の音声通信用ベアラを切断するように指示するように構成されていることを要旨とする。
【００１７】
本発明の第４の特徴は、回線交換通信をサポートしていない第１通信方式の無線アクセスシステムと、該第１通信方式の無線アクセスシステムを収容する移動伝達ネットワークと、回線交換通信をサポートしている第２通信方式の無線アクセスシステムと、該第２通信方式の無線アクセスシステムを収容する第２通信方式のコアネットワークとを具備する移動通信システムであって、移動局を、前記第１通信方式の無線アクセスシステムを介して音声通信を行う第１通信状態から、前記第２通信方式の無線アクセスシステムを介して音声通信を行う第２通信状態に切り替えるように構成されており、前記コアネットワーク内の所定サーバは、前記第２通信状態の前記移動局による音声通信が終了することを検出した場合、該コアネットワーク内のパケット交換機に対して、前記移動伝達ネットワーク内の第１ゲートウェイ装置とパケットデータネットワークに接続されている第２ゲートウェイ装置との間で確立されている前記第１通信状態の該移動局の音声通信用ベアラを切断するように指示するように構成されていることを要旨とする。
【００１８】
本発明の第５の特徴は、回線交換通信をサポートしていない第１通信方式の無線アクセスシステムと、該第１通信方式の無線アクセスシステムを収容する移動伝達ネットワークと、回線交換通信をサポートしている第２通信方式の無線アクセスシステムと、該第２通信方式の無線アクセスシステムを収容する第２通信方式のコアネットワークとを具備し、移動局を、該第１通信方式の無線アクセスシステムを介して音声通信を行う第１通信状態から、該第２通信方式の無線アクセスシステムを介して音声通信を行う第２通信状態に切り替えるように構成されている移動通信システムにおいて、該コアネットワーク内の所定サーバとして機能するサーバであって、前記第２通信状態の前記移動局による音声通信が終了することを検出した場合、前記移動伝達ネットワーク内の移動管理ノードに対して、該移動伝達ネットワーク内の第１ゲートウェイ装置とパケットデータネットワークに接続されている第２ゲートウェイ装置との間で確立されている前記第１通信状態の該移動局の音声通信用ベアラを切断するように指示するように構成されていることを要旨とする。
【００１９】
本発明の第６の特徴は、回線交換通信をサポートしていない第１通信方式の無線アクセスシステムと、該第１通信方式の無線アクセスシステムを収容する移動伝達ネットワークと、回線交換通信をサポートしている第２通信方式の無線アクセスシステムと、該第２通信方式の無線アクセスシステムを収容する第２通信方式のコアネットワークとを具備し、移動局を、該第１通信方式の無線アクセスシステムを介して音声通信を行う第１通信状態から、該第２通信方式の無線アクセスシステムを介して音声通信を行う第２通信状態に切り替えるように構成されている移動通信システムにおいて、該コアネットワーク内の所定サーバとして機能するサーバであって、前記第２通信状態の前記移動局による音声通信が終了することを検出した場合、該コアネットワーク内のパケット交換機に対して、前記移動伝達ネットワーク内の第１ゲートウェイ装置とパケットデータネットワークに接続されている第２ゲートウェイ装置との間で確立されている前記第１通信状態の該移動局の音声通信用ベアラを切断するように指示するように構成されていることを要旨とする。
【００２０】
本発明の第７の特徴は、回線交換通信をサポートしていない第１通信方式の無線アクセスシステムと、該第１通信方式の無線アクセスシステムを収容する移動伝達ネットワークと、回線交換通信をサポートしている第２通信方式の無線アクセスシステムと、該第２通信方式の無線アクセスシステムを収容する第２通信方式のコアネットワークとを具備し、移動局を、該第１通信方式の無線アクセスシステムを介して音声通信を行う第１通信状態から、該第２通信方式の無線アクセスシステムを介して音声通信を行う第２通信状態に切り替えるように構成されている移動通信システムにおいて、該移動伝達ネットワーク内に設けられている移動管理ノードであって、前記第２通信状態の前記移動局による音声通信が終了することを検出した前記コアネットワーク内の所定サーバから切断指示信号を受信した場合、前記移動伝達ネットワーク内の第１ゲートウェイ装置とパケットデータネットワークに接続されている第２ゲートウェイ装置との間で確立されている前記第１通信状態の該移動局の音声通信用ベアラを切断する処理を開始するように構成されていることを要旨とする。
【００２１】
本発明の第８の特徴は、回線交換通信をサポートしていない第１通信方式の無線アクセスシステムと、該第１通信方式の無線アクセスシステムを収容する移動伝達ネットワークと、回線交換通信をサポートしている第２通信方式の無線アクセスシステムと、該第２通信方式の無線アクセスシステムを収容する第２通信方式のコアネットワークとを具備し、移動局を、該第１通信方式の無線アクセスシステムを介して音声通信を行う第１通信状態から、該第２通信方式の無線アクセスシステムを介して音声通信を行う第２通信状態に切り替えるように構成されている移動通信システムにおいて、該コアネットワーク内に設けられているパケット交換機であって、前記第２通信状態の前記移動局による音声通信が終了することを検出した前記コアネットワーク内の所定サーバから切断指示信号を受信した場合、前記移動伝達ネットワーク内の第１ゲートウェイ装置とパケットデータネットワークに接続されている第２ゲートウェイ装置との間で確立されている前記第１通信状態の該移動局の音声通信用ベアラを切断する処理を開始するように構成されていることを要旨とする。
【発明の効果】
【００２２】
以上説明したように、本発明によれば、ＵＥ＃１の第１通信状態から第２通信状態への切り替えの後に、第２通信状態のＵＥ＃１の音声通信が終了した後、第１通信状態のＵＥ＃１の音声通信用ベアラを切断することができる移動通信方法、移動通信システム、サーバ、移動管理ノード及びパケット交換機を提供することができる。
【図面の簡単な説明】
【００２３】
【図１】本発明の第１の実施形態に係る移動通信システムの全体構成図である。
【図２】本発明の第１の実施形態に係る移動通信システムの動作について説明するシーケンス図である。
【図３】本発明の第１の実施形態に係る移動通信システムの動作について説明するシーケンス図である。
【図４】本発明の第１の実施形態に係る移動通信システムの動作について説明するシーケンス図である。
【図５】従来の移動通信システムの動作について説明するシーケンス図である。
【図６】従来の移動通信システムの動作について説明するシーケンス図である。
【図７】従来の移動通信システムの動作について説明するシーケンス図である。
【図８】従来の移動通信システムの動作について説明するシーケンス図である。
【発明を実施するための形態】
【００２４】
（本発明の第１の実施形態に係る移動通信システム）
図１乃至図４を参照して、本発明の第１の実施形態に係る移動通信システムについて説明する。
【００２５】
図１に示すように、本実施形態に係る移動通信システムは、Ｅ-ＵＴＲＡＮと、ＵＴＲＡＮ/ＧＥＲＡＮと、移動伝達ネットワークと、２Ｇ/３Ｇ方式のコアネットワークと、ＩＭＳとを具備している。
【００２６】
Ｅ-ＵＴＲＡＮには、無線基地局ｅＮｏｄｅＢ（不図示）が配置されており、ＵＴＲＡＮ/ＧＥＲＡＮには、無線基地局ＮｏｄｅＢ/ＢＳＳ（不図示）及び無線回線制御局ＲＮＣ（不図示）が配置されている。
【００２７】
移動伝達ネットワークには、ＭＭＥ（移動管理ノード）と、Ｓ-ＧＷ（第１ゲートウェイ装置）と、パケットデータネットワークに接続されているＰ-ＧＷ（第２ゲートウェイ装置）とが配置されている。
【００２８】
２Ｇ/３Ｇ方式のコアネットワークには、ＭＳＣ（Ｍｏｂｉｌｅ-ｓｅｒｖｉｃｅ  Ｓｗｉｔｃｈｉｎｇ  Ｃｅｎｔｅｒ、回線交換機）やＳＧＳＮ（Ｓｅｒｖｉｎｇ  ＧＰＲＳ  Ｓｕｐｐｏｒｔ  Ｎｏｄｅ、パケット交換機）やＭＳＣ（Ｍｏｂｉｌｅ-ｓｅｒｖｉｃｅ  Ｓｗｉｔｃｈｉｎｇ  Ｃｅｎｔｅｒ）サーバ/ＭＧＷ（Ｍｅｄｉａ  Ｇａｔｅｗａｙ  ｆｏｒ  ＳＲＶＣＣ）が配置されている。
【００２９】
なお、ＭＳＣサーバ/ＭＧＷ（所定ノード）は、制御信号を処理するＭＳＣサーバと、ＰＳ通信用信号とＣＳ（Ｃｉｒｃｕｉｔ  Ｓｗｉｔｃｈｉｎｇ、回線交換）通信用信号との変換等を実施するＭＧＷとに分離されていてもよい。
【００３０】
ＩＭＳには、Ｐ-ＣＳＣＦ（Ｐｒｏｘｙ-Ｃａｌｌ  Ｓｅｓｓｉｏｎ  Ｃｏｎｔｒｏｌ  Ｆｕｎｃｔｉｏｎ）と、Ｓ-ＣＳＣＦ（Ｓｅｒｖｉｎｇ-Ｃａｌｌ  Ｓｅｓｓｉｏｎ  Ｃｏｎｔｒｏｌ  Ｆｕｎｃｔｉｏｎ）と、Ｓ/Ｐ-ＣＳＣＦと、ＳＣＣ  ＡＳ（Ｓｅｒｖｉｃｅ  Ｃｅｎｔｒａｌｉｚａｔｉｏｎ  ａｎｄ  Ｃｏｎｔｉｎｕｉｔｙ  Ａｐｐｌｉｃａｔｉｏｎ  Ｓｅｒｖｅｒ）とが配置されている。
【００３１】
第１通信状態では、ＵＥ＃１とＵＥ＃２との間で、ＶｏＩＰ通信用メディア信号は、Ｅ-ＵＴＲＡＮとＳ-ＧＷとＰ-ＧＷとを介して送受信されるように構成されており、ＶｏＩＰ通信用制御信号（ＳＩＰ（Ｓｅｓｓｉｏｎ  Ｉｎｉｔｉａｔｉｏｎ  Ｐｒｏｔｏｃｏｌ）信号）は、Ｅ-ＵＴＲＡＮとＳ-ＧＷとＰ-ＧＷとＩＭＳを介して送受信されるように構成されている。
【００３２】
一方、第２通信状態では、ＵＥ＃１とＭＳＣサーバ/ＭＧＷとの間で、ＣＳ通信用信号は、ＵＴＲＡＮ/ＧＥＲＡＮとＭＳＣとを介して送受信されるように構成されており、ＭＳＣサーバ/ＭＧＷとＵＥ＃２との間で、ＶｏＩＰ通信用メディア信号は、Ｓ-ＧＷとＰ-ＧＷとを介して送受信されるように構成されている。
【００３３】
なお、第２通信状態では、ＳＩＰ信号は、ＭＳＣサーバ/ＭＧＷとＩＭＳ内のＳＣＣ  ＡＣとの間で送受信されるように構成されている。
【００３４】
ここで、ＵＥ＃１が、第１通信状態から第２通信状態に切り替えられた場合であっても、第１通信状態においてＳ-ＧＷとＰ-ＧＷとの間で確立されていたＵＥ＃１のＶｏＩＰ通信用ベアラは、切断されること無く保持されている。
【００３５】
具体的には、本実施形態に係る移動通信システムにおいて、ＰＳハンドオーバをサポートしていない場合には、ＵＥ＃１が、第１通信状態から第２通信状態に切り替えられた場合であっても、ＭＭＥ、Ｓ-ＧＷ及びＰ-ＧＷは、かかるＶｏＩＰ通信用ベアラに関する情報（ＶｏＩＰ通信用ベアラコンテキスト）について削除すること無く保持し続けるように構成されている。
【００３６】
一方、本実施形態に係る移動通信システムにおいて、ＰＳハンドオーバをサポートしている場合には、ＵＥ＃１が、第１通信状態から第２通信状態に切り替えられた場合であっても、ＳＧＳＮ、Ｓ-ＧＷ及びＰ-ＧＷは、かかるＶｏＩＰ通信用ベアラに関する情報（ＶｏＩＰ通信用ベアラコンテキスト）について削除すること無く保持し続けるように構成されている。
【００３７】
ここで、本実施形態に係る移動通信システムにおいて、ＰＳハンドオーバをサポートしている場合には、ＵＥ＃１が、第１通信状態から第２通信状態に切り替えられた場合に、ＭＭＥが、ＳＧＳＮに対して、「Ｆｏｒｗａｒｄ  Ｒｅｌｏｃ  Ｒｅｑ」信号（図３に示すステップ６ａ）によって、かかるＶｏＩＰ通信用ベアラに関する情報（ＶｏＩＰ通信用ベアラコンテキスト）を通知するように構成されている。
【００３８】
このように、本実施形態に係る移動通信システムは、ＵＥ＃１が、この後、第２通信状態から第１通信状態に切り替えられた場合に、再度、ＶｏＩＰ通信用ベアラを確立する手間を省くために、かかるＶｏＩＰ通信用ベアラ（ＶｏＩＰ通信用ベアラに関する情報）を保持するように構成されている。
【００３９】
以下、図２乃至図４を参照して、本実施形態に係る移動通信システムの動作について説明する。
【００４０】
第１に、図２を参照して、本実施形態に係る移動通信システムにおいて、ＰＳハンドオーバをサポートしていないケースの動作について説明する。
【００４１】
かかるケースでは、図５に示す手順、例えば、３ＧＰＰ規格ＴＳ２３.２１６によって規定されている手順によって、ＵＥ＃１を第１通信状態から第２通信状態に切り替える。
【００４２】
その後、図２に示すように、ステップＳ１において、ＵＥ＃１が、ＭＳＣに対して、第２通信状態の音声通信の終了を指示する「ＤＩＳＣＯＮＮＥＣＴ」信号を送信し、ＭＳＣが、ＭＳＣサーバ/ＭＧＷに対して、第２通信状態の音声通信の終了を指示する「Ｒｅｌｅａｓｅ」信号を送信する。
【００４３】
或いは、ステップＳ１ａにおいて、ＵＥ＃２からの指示に応じて、ＩＭＳが、ＵＥ＃１及びＭＳＣサーバ/ＭＧＷに対して、第２通信状態の音声通信の終了を指示する「Ｂｙｅ」信号を送信する。なお、「Ｂｙｅ」信号は、ＭＳＣサーバへ到着する以前に、変換装置等により「Ｒｅｌｅａｓｅ」信号へ変換されていてもよい。
【００４４】
ステップＳ２において、ＭＳＣサーバ/ＭＧＷは、第２通信状態のＵＥ＃１による音声通信が終了することを検出し、ＭＭＥに対して、Ｓ-ＧＷとＰ-ＧＷとの間で確立されている第１通信状態のＵＥ＃１のＶｏＩＰ通信用ベアラを切断するように指示する「ＰＳ  ｔｏ  ＣＳ  Ｄｅｌｅｔｅ」信号を送信する。
【００４５】
すなわち、ＭＳＣサーバ/ＭＧＷは、ＭＭＥに対して、かかるＶｏＩＰ通信用ベアラに関する情報（ＶｏＩＰ通信用ベアラコンテキスト）を削除するように指示する「ＰＳ  ｔｏ  ＣＳ  Ｄｅｌｅｔｅ」信号を送信する。
【００４６】
ＭＭＥは、ステップＳ３において、ＭＳＣサーバ/ＭＧＷに対して、「ＰＳ  ｔｏ  ＣＳ  Ｄｅｌｅｔｅ  Ａｃｋ」信号を送信し、ステップＳ４において、Ｓ-ＧＷに対して、Ｓ-ＧＷとＰ-ＧＷとの間で確立されている第１通信状態のＵＥ＃１のＶｏＩＰ通信用ベアラを切断するように指示する「Ｄｅｌｅｔｅ  Ｂｅａｒｅｒ  Ｃｏｍｍａｎｄ」信号を送信する。
【００４７】
すなわち、ＭＭＥは、Ｓ-ＧＷに対して、かかるＶｏＩＰ通信用ベアラに関する情報（ＶｏＩＰ通信用ベアラコンテキスト）を削除するように指示する「Ｄｅｌｅｔｅ  Ｂｅａｒｅｒ  Ｃｏｍｍａｎｄ」信号を送信する。
【００４８】
ステップＳ５において、Ｓ-ＧＷは、Ｐ-ＧＷに対して、Ｓ-ＧＷとＰ-ＧＷとの間で確立されている第１通信状態のＵＥ＃１のＶｏＩＰ通信用ベアラを切断するように指示する「Ｄｅｌｅｔｅ  Ｂｅａｒｅｒ  Ｃｏｍｍａｎｄ」信号を送信する。
【００４９】
すなわち、Ｓ-ＧＷは、Ｐ-ＧＷに対して、かかるＶｏＩＰ通信用ベアラに関する情報（ＶｏＩＰ通信用ベアラコンテキスト）を削除するように指示する「Ｄｅｌｅｔｅ  Ｂｅａｒｅｒ  Ｃｏｍｍａｎｄ」信号を送信する。
【００５０】
ステップＳ６において、Ｐ-ＧＷは、Ｓ-ＧＷに対して、「Ｄｅｌｅｔｅ  Ｂｅａｒｅｒ  Ｒｅｑｕｅｓｔ」信号を送信し、ステップＳ７において、Ｓ-ＧＷは、ＭＭＥに対して、「Ｄｅｌｅｔｅ  Ｂｅａｒｅｒ  Ｒｅｑｕｅｓｔ」信号を送信する。
【００５１】
ステップＳ８において、ＭＭＥは、Ｓ-ＧＷに対して、「Ｄｅｌｅｔｅ  Ｂｅａｒｅｒ  Ｒｅｓｐｏｎｓｅ」信号を送信し、ステップＳ９において、Ｓ-ＧＷは、Ｐ-ＧＷに対して、「Ｄｅｌｅｔｅ  Ｂｅａｒｅｒ  Ｒｅｓｐｏｎｓｅ」信号を送信する。
【００５２】
第２に、図３及び図４を参照して、本実施形態に係る移動通信システムにおいて、ＰＳハンドオーバをサポートしているケースの動作について説明する。
【００５３】
かかるケースでは、図３に示す手順、例えば、３ＧＰＰ規格ＴＳ２３.２１６によって規定されている手順によって、ＵＥ＃１を第１通信状態から第２通信状態に切り替える。
【００５４】
ここで、図３のステップＳ１７ｄにおいて、ＭＭＥは、ＭＳＣサーバ/ＭＧＷに対して、「ＰＳ  ｔｏ  ＣＳ  Ｃｏｍｐｌｅｔｅ」信号によって、ＳＧＳＮのアドレス情報として、ＳＧＳＮのＩＰアドレスを通知する。
【００５５】
なお、ＭＭＥは、ＭＳＣサーバ/ＭＧＷに対して、「ＰＳ  ｔｏ  ＣＳ  Ｃｏｍｐｌｅｔｅ」信号によって、ＳＧＳＮのアドレス情報として、ＳＧＳＮにおけるＵＥ＃１の音声通信用のＴＥＩＤを通知してもよい。
【００５６】
その後、図４に示すように、ステップＳ１において、ＵＥ＃１が、ＭＳＣに対して、第２通信状態の音声通信の終了を指示する「ＤＩＳＣＯＮＮＥＣＴ」信号を送信し、ＭＳＣが、ＭＳＣサーバ/ＭＧＷに対して、第２通信状態の音声通信の終了を指示する「Ｒｅｌｅａｓｅ」信号を送信する。
【００５７】
或いは、ステップＳ１ａにおいて、ＵＥ＃２からの指示に応じて、ＩＭＳが、ＵＥ＃１及びＭＳＣサーバ/ＭＧＷに対して、第２通信状態の音声通信の終了を指示する「Ｂｙｅ」を送信する。なお、「Ｂｙｅ」信号は、ＭＳＣサーバへ到着する以前に、変換装置等により「Ｒｅｌｅａｓｅ」信号へ変換されていてもよい。
【００５８】
ステップＳ２において、ＭＳＣサーバ/ＭＧＷは、第２通信状態のＵＥ＃１による音声通信が終了することを検出し、ＭＭＥによって通知されているＳＧＳＮのアドレス情報（例えば、ＳＧＳＮのＩＰアドレス）に基づいて、ＳＧＳＮに対して、ＳＧＳＮとＳ-ＧＷとの間及びＳ-ＧＷとＰ-ＧＷとの間で確立されている第１通信状態のＵＥ＃１のＶｏＩＰ通信用ベアラを切断するように指示する「ＰＳ  ｔｏ  ＣＳ  Ｄｅｌｅｔｅ」信号を送信する。
【００５９】
すなわち、ＭＳＣサーバ/ＭＧＷは、ＳＧＳＮに対して、かかるＶｏＩＰ通信用ベアラに関する情報（ＶｏＩＰ通信用ベアラコンテキスト）を削除するように指示する「ＰＳ  ｔｏ  ＣＳ  Ｄｅｌｅｔｅ」信号を送信する。
【００６０】
ＳＧＳＮは、ステップＳ３において、ＭＳＣサーバ/ＭＧＷに対して、「ＰＳ  ｔｏ  ＣＳ  Ｄｅｌｅｔｅ  Ａｃｋ」信号を送信し、ステップＳ４において、Ｓ-ＧＷに対して、Ｓ-ＧＷとＰ-ＧＷとの間で確立されている第１通信状態のＵＥ＃１のＶｏＩＰ通信用ベアラを切断するように指示する「Ｄｅｌｅｔｅ  Ｂｅａｒｅｒ  Ｃｏｍｍａｎｄ」信号を送信する。
【００６１】
すなわち、ＳＧＳＮは、Ｓ-ＧＷに対して、かかるＶｏＩＰ通信用ベアラに関する情報（ＶｏＩＰ通信用ベアラコンテキスト）を削除するように指示する「Ｄｅｌｅｔｅ  Ｂｅａｒｅｒ  Ｃｏｍｍａｎｄ」信号を送信する。
【００６２】
ステップＳ５において、Ｓ-ＧＷは、Ｐ-ＧＷに対して、Ｓ-ＧＷとＰ-ＧＷとの間で確立されている第１通信状態のＵＥ＃１のＶｏＩＰ通信用ベアラを切断するように指示する「Ｄｅｌｅｔｅ  Ｂｅａｒｅｒ  Ｃｏｍｍａｎｄ」信号を送信する。
【００６３】
すなわち、Ｓ-ＧＷは、Ｐ-ＧＷに対して、かかるＶｏＩＰ通信用ベアラに関する情報（ＶｏＩＰ通信用ベアラコンテキスト）を削除するように指示する「Ｄｅｌｅｔｅ  Ｂｅａｒｅｒ  Ｃｏｍｍａｎｄ」信号を送信する。
【００６４】
ステップＳ６において、Ｐ-ＧＷは、Ｓ-ＧＷに対して、「Ｄｅｌｅｔｅ  Ｂｅａｒｅｒ  Ｒｅｑｕｅｓｔ」信号を送信し、ステップＳ７において、Ｓ-ＧＷは、ＳＧＳＮに対して、「Ｄｅｌｅｔｅ  Ｂｅａｒｅｒ  Ｒｅｑｕｅｓｔ」信号を送信する。
【００６５】
ステップＳ８において、ＳＧＳＮは、Ｓ-ＧＷに対して、「Ｄｅｌｅｔｅ  Ｂｅａｒｅｒ  Ｒｅｓｐｏｎｓｅ」信号を送信し、ステップＳ９において、Ｓ-ＧＷは、Ｐ-ＧＷに対して、「Ｄｅｌｅｔｅ  Ｂｅａｒｅｒ  Ｒｅｓｐｏｎｓｅ」信号を送信する。
【００６６】
本実施形態に係る移動通信システムによれば、ＵＥ＃１の第１通信状態から第２通信状態への切り替えの後に、第２通信状態のＵＥ＃１の音声通信が終了した後、第１通信状態のＵＥ＃１のＶｏＩＰ通信用ベアラを切断することができる。
【００６７】
以上に述べた本実施形態の特徴は、以下のように表現されていてもよい。
【００６８】
本実施形態の第１の特徴は、Ｅ-ＵＴＲＡＮ（回線交換通信をサポートしていない第１通信方式の無線アクセスシステム）と、Ｅ-ＵＴＲＡＮを収容する移動伝達ネットワークと、ＵＴＲＡＮ/ＧＥＲＡＮ（回線交換通信をサポートしている第２通信方式の無線アクセスシステム）と、ＵＴＲＡＮ/ＧＥＲＡＮを収容する２Ｇ/３Ｇ方式（第２通信方式）のコアネットワークとを具備する移動通信システムにおいて、ＵＥ＃１を、Ｅ-ＵＴＲＡＮを介して音声通信を行う第１通信状態から、ＵＴＲＡＮ/ＧＥＲＡＮを介して音声通信を行う第２通信状態に切り替える移動通信方法であって、ＭＳＣサーバ/ＭＧＷ（コアネットワーク内の所定サーバ）が、第２通信状態のＵＥ＃１による音声通信が終了することを検出した場合、ＭＭＥ（移動伝達ネットワーク内の移動管理ノード）に対して、Ｓ-ＧＷ（移動伝達ネットワーク内の第１ゲートウェイ装置）とＰ-ＧＷ（パケットデータネットワークに接続されている第２ゲートウェイ装置）との間で確立されている第１通信状態のＵＥ＃１のＶｏＩＰ通信用ベアラ（音声通信用ベアラ）を切断するように、すなわち、かかるＶｏＩＰ通信用ベアラに関する情報を削除するように指示する工程を有することを要旨とする。
【００６９】
本実施形態の第２の特徴は、Ｅ-ＵＴＲＡＮと、Ｅ-ＵＴＲＡＮを収容する移動伝達ネットワークと、ＵＴＲＡＮ/ＧＥＲＡＮと、ＵＴＲＡＮ/ＧＥＲＡＮを収容する２Ｇ/３Ｇ方式のコアネットワークとを具備する移動通信システムにおいて、ＵＥ＃１を、Ｅ-ＵＴＲＡＮを介して音声通信を行う第１通信状態から、ＵＴＲＡＮ/ＧＥＲＡＮを介して音声通信を行う第２通信状態に切り替える移動通信方法であって、ＭＳＣサーバ/ＭＧＷが、第２通信状態のＵＥ＃１による音声通信が終了することを検出した場合、ＳＧＳＮ（コアネットワーク内のパケット交換機）に対して、Ｓ-ＧＷとＰ-ＧＷとの間で確立されている第１通信状態のＵＥ＃１のＶｏＩＰ通信用ベアラを切断するように、すなわち、かかるＶｏＩＰ通信用ベアラに関する情報を削除するように指示する工程を有することを要旨とする。
【００７０】
本実施形態の第２の特徴において、ＵＥ＃１を第１通信状態から第２通信状態に切り替える際に、ＭＭＥが、ＭＳＣサーバ/ＭＧＷに対して、ＳＧＳＮのＩＰアドレスやＴＥＩＤ（パケット交換機のアドレス情報）を通知する工程を有してもよい。
【００７１】
本実施形態の第３の特徴は、Ｅ-ＵＴＲＡＮと、Ｅ-ＵＴＲＡＮを収容する移動伝達ネットワークと、ＵＴＲＡＮ/ＧＥＲＡＮと、ＵＴＲＡＮ/ＧＥＲＡＮを収容する２Ｇ/３Ｇ方式のコアネットワークとを具備する移動通信システムであって、ＵＥ＃１を、Ｅ-ＵＴＲＡＮを介して音声通信を行う第１通信状態から、ＵＴＲＡＮ/ＧＥＲＡＮを介して音声通信を行う第２通信状態に切り替えるように構成されており、ＭＳＣサーバ/ＭＧＷは、第２通信状態のＵＥ＃１による音声通信が終了することを検出した場合、ＭＭＥに対して、Ｓ-ＧＷとＰ-ＧＷとの間で確立されている第１通信状態のＵＥ＃１のＶｏＩＰ通信用ベアラを切断するように、すなわち、かかるＶｏＩＰ通信用ベアラに関する情報を削除するように指示するように構成されていることを要旨とする。
【００７２】
本実施形態の第４の特徴は、Ｅ-ＵＴＲＡＮと、Ｅ-ＵＴＲＡＮを収容する移動伝達ネットワークと、ＵＴＲＡＮ/ＧＥＲＡＮと、ＵＴＲＡＮ/ＧＥＲＡＮを収容する２Ｇ/３Ｇ方式のコアネットワークとを具備する移動通信システムであって、ＵＥ＃１を、Ｅ-ＵＴＲＡＮを介して音声通信を行う第１通信状態から、ＵＴＲＡＮ/ＧＥＲＡＮを介して音声通信を行う第２通信状態に切り替えるように構成されており、ＭＳＣサーバ/ＭＧＷは、第２通信状態のＵＥ＃１による音声通信が終了することを検出した場合、ＳＧＳＮに対して、Ｓ-ＧＷとＰ-ＧＷとの間で確立されている第１通信状態のＵＥ＃１のＶｏＩＰ通信用ベアラを切断するように、すなわち、かかるＶｏＩＰ通信用ベアラに関する情報を削除するように指示するように構成されていることを要旨とする。
【００７３】
本実施形態の第４の特徴において、ＵＥ＃１を第１通信状態から第２通信状態に切り替える際に、ＭＭＥは、ＭＳＣサーバ/ＭＧＷに対して、ＳＧＳＮのＩＰアドレスやＴＥＩＤを通知するように構成されていてもよい。
【００７４】
本実施形態の第５の特徴は、Ｅ-ＵＴＲＡＮと、Ｅ-ＵＴＲＡＮを収容する移動伝達ネットワークと、ＵＴＲＡＮ/ＧＥＲＡＮと、ＵＴＲＡＮ/ＧＥＲＡＮを収容する２Ｇ/３Ｇ方式のコアネットワークとを具備し、ＵＥ＃１を、Ｅ-ＵＴＲＡＮを介して音声通信を行う第１通信状態から、ＵＴＲＡＮ/ＧＥＲＡＮを介して音声通信を行う第２通信状態に切り替えるように構成されている移動通信システムにおいて、ＭＳＣサーバ/ＭＧＷとして機能するサーバであって、第２通信状態のＵＥ＃１による音声通信が終了することを検出した場合、ＭＭＥに対して、Ｓ-ＧＷとＰ-ＧＷとの間で確立されている第１通信状態のＵＥ＃１のＶｏＩＰ通信用ベアラを切断するように、すなわち、かかるＶｏＩＰ通信用ベアラに関する情報を削除するように指示するように構成されていることを要旨とする。
【００７５】
本実施形態の第６の特徴は、Ｅ-ＵＴＲＡＮと、Ｅ-ＵＴＲＡＮを収容する移動伝達ネットワークと、ＵＴＲＡＮ/ＧＥＲＡＮと、ＵＴＲＡＮ/ＧＥＲＡＮを収容する２Ｇ/３Ｇ方式のコアネットワークとを具備し、ＵＥ＃１を、Ｅ-ＵＴＲＡＮを介して音声通信を行う第１通信状態から、ＵＴＲＡＮ/ＧＥＲＡＮを介して音声通信を行う第２通信状態に切り替えるように構成されている移動通信システムにおいて、ＭＳＣサーバ/ＭＧＷとして機能するサーバであって、第２通信状態のＵＥ＃１による音声通信が終了することを検出した場合、ＳＧＳＮに対して、Ｓ-ＧＷとＰ-ＧＷとの間で確立されている第１通信状態のＵＥ＃１のＶｏＩＰ通信用ベアラを切断するように、すなわち、かかるＶｏＩＰ通信用ベアラに関する情報を削除するように指示するように構成されていることを要旨とする。
【００７６】
本実施形態の第７の特徴は、Ｅ-ＵＴＲＡＮと、Ｅ-ＵＴＲＡＮを収容する移動伝達ネットワークと、ＵＴＲＡＮ/ＧＥＲＡＮと、ＵＴＲＡＮ/ＧＥＲＡＮを収容する２Ｇ/３Ｇ方式のコアネットワークとを具備し、ＵＥ＃１を、Ｅ-ＵＴＲＡＮを介して音声通信を行う第１通信状態から、ＵＴＲＡＮ/ＧＥＲＡＮを介して音声通信を行う第２通信状態に切り替えるように構成されている移動通信システムにおいて、かかる移動伝達ネットワーク内に設けられているＭＭＥ（移動管理ノード）であって、第２通信状態のＵＥ＃１による音声通信が終了することを検出したＭＳＣサーバ/ＭＧＷから「ＰＳ  ｔｏ  ＣＳ  Ｄｅｌｅｔｅ（切断指示信号）」を受信した場合、Ｓ-ＧＷとＰ-ＧＷとの間で確立されている第１通信状態のＵＥ＃１のＶｏＩＰ通信用ベアラを切断する処理、すなわち、かかるＶｏＩＰ通信用ベアラに関する情報を削除する処理を開始するように構成されていることを要旨とする。
【００７７】
本実施形態の第７の特徴は、Ｅ-ＵＴＲＡＮと、Ｅ-ＵＴＲＡＮを収容する移動伝達ネットワークと、ＵＴＲＡＮ/ＧＥＲＡＮと、ＵＴＲＡＮ/ＧＥＲＡＮを収容する２Ｇ/３Ｇ方式のコアネットワークとを具備し、ＵＥ＃１を、Ｅ-ＵＴＲＡＮを介して音声通信を行う第１通信状態から、ＵＴＲＡＮ/ＧＥＲＡＮを介して音声通信を行う第２通信状態に切り替えるように構成されている移動通信システムにおいて、かかるコアネットワーク内に設けられているＳＧＳＮ（パケット交換機）であって、第２通信状態のＵＥ＃１による音声通信が終了することを検出したＭＳＣサーバ/ＭＧＷから「ＰＳ  ｔｏ  ＣＳ  Ｄｅｌｅｔｅ（切断指示信号）」を受信した場合、Ｓ-ＧＷとＰ-ＧＷとの間で確立されている第１通信状態のＵＥ＃１のＶｏＩＰ通信用ベアラを切断する処理、すなわち、かかるＶｏＩＰ通信用ベアラに関する情報を削除する処理を開始するように構成されていることを要旨とする。
【００７８】
なお、上述のＭＳＣサーバ/ＭＧＷ、ＭＭＥ、Ｓ-ＧＷ、Ｐ-ＧＷ、ＳＧＳＮ、ＭＳＣ、ＵＥ、Ｅ-ＵＴＲＡＮ、ＵＴＲＡＮ/ＧＥＲＡＮ、ＩＭＳの動作は、ハードウェアによって実施されてもよいし、プロセッサによって実行されるソフトウェアモジュールによって実施されてもよいし、両者の組み合わせによって実施されてもよい。
【００７９】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【００８０】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、ＭＳＣサーバ/ＭＧＷ、ＭＭＥ、Ｓ-ＧＷ、Ｐ-ＧＷ、ＳＧＳＮ、ＭＳＣ、ＵＥ、Ｅ-ＵＴＲＡＮ、ＵＴＲＡＮ/ＧＥＲＡＮ、ＩＭＳ内に設けられていてもよい。また、かかる記憶媒体及びプロセッサは、ディスクリートコンポーネントとしてＭＳＣサーバ/ＭＧＷ、ＭＭＥ、Ｓ-ＧＷ、Ｐ-ＧＷ、ＳＧＳＮ、ＭＳＣ、ＵＥ、Ｅ-ＵＴＲＡＮ、ＵＴＲＡＮ/ＧＥＲＡＮ、ＩＭＳ内に設けられていてもよい。
【００８１】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。従って、本明細書の記載は、例示説明を目的とするものであり、本発明に対して何ら制限的な意味を有するものではない。
【符号の説明】
【００８２】
ＵＥ…移動局
Ｅ-ＵＴＲＡＮ、ＵＴＲＡＮ/ＧＥＲＡＮ…無線アクセスシステム
ＭＭＥ…移動管理ノード
ＳＧＳＮ…パケット交換機
Ｓ-ＧＷ、Ｐ-ＧＷ…ゲートウェイ装置
ＩＭＳ…サービス制御ネットワーク
【図１】
2011223280.tif 000003
【図２】
2011223280.tif 000004
【図３】
2011223280.tif 000005
【図４】
2011223280.tif 000006
【図５】
2011223280.tif 000007
【図６】
2011223280.tif 000008
【図７】
2011223280.tif 000009
【図８】
2011223280.tif 000010